(57)【要約】【課題】本発明の目的は、リアルプレップ撮影対応のＸ線コンピュータ断層撮影装置において、リアルプレップ撮影条件の設定の操作性を向上することにある。【解決手段】プレスキャンにより監視した造影剤濃度に基づいて本スキャンの開始タイミングを計るリアルプレップ撮影を造影剤注入後に同じ又は異なる部位に対して繰り返す機能を備えたＸ線コンピュータ断層撮影装置において、造影剤濃度を監視する関心領域の位置、関心領域が含まれるスライスの位置、造影剤濃度に対するしきい値の各設定項目を含むリアルプレップ撮影条件をリアルプレップ撮影それぞれに対して設定する作業を支援するために、リアルプレップ撮影のいずれかに対して設定されたリアルプレップ撮影条件の各項目の設定値を、他のリアルプレップ撮影に対するリアルプレップ撮影条件の設定画面上のそれぞれ対応する項目欄に複写する機能を有することを特徴とする。【選択図】    図３
2004174088.tif 000002
【特許請求の範囲】
【請求項１】
プレスキャンにより監視した造影剤濃度に基づいて本スキャンの開始タイミングを計るリアルプレップ撮影を造影剤注入後に同じ又は異なる部位に対して繰り返す機能を備えたＸ線コンピュータ断層撮影装置において、
前記造影剤濃度を監視する関心領域の位置、前記関心領域が含まれるスライスの位置、前記造影剤濃度に対するしきい値の各設定項目を含むリアルプレップ撮影条件を前記リアルプレップ撮影それぞれに対して設定する作業を支援するために、前記リアルプレップ撮影のいずれかに対して設定されたリアルプレップ撮影条件の各項目の設定値を、他のリアルプレップ撮影に対するリアルプレップ撮影条件の設定画面上のそれぞれ対応する項目欄に複写する機能を有することを特徴とするＸ線コンピュータ断層撮影装置。
【請求項２】
前記リアルプレップ撮影条件の設定画面上に、前記リアルプレップ撮影条件の設定値の複写を指示するための複写ボタンが表示されることを特徴とする請求項１記載のＸ線コンピュータ断層撮影装置。
【請求項３】
ヘリカル又はコンベンショナルスキャンにより収集した投影データから、指定した心拍位相に対応する投影データを抽出し、抽出した投影データに基づいて画像データを再構成する機能を備えたＸ線コンピュータ断層撮影装置において、
前記再構成のための画像スライス厚、スライス枚数の各設定項目を含む再構成条件を前記指定した複数の心拍位相それぞれに対して設定する作業を支援するために、前記複数の心拍位相のいずれかに対して設定された再構成条件の各項目の設定値を、他の心拍位相に対する再構成条件の設定画面上のそれぞれ対応する項目欄に複写する機能を有することを特徴とするＸ線コンピュータ断層撮影装置。
【請求項４】
前記再構成条件の設定画面上に、前記再構成条件の設定値の複写を指示するための複写ボタンが表示されることを特徴とする請求項３記載のＸ線コンピュータ断層撮影装置。
【発明の詳細な説明】
【０００１】
【発明の属する技術分野】
本発明は、造影剤の流入を監視して本スキャンの開始タイミングを最適化するリアルプレップ撮影対応のＸ線コンピュータ断層撮影装置に関する。
【０００２】
【従来の技術】
Ｘ線コンピュータ断層撮影装置は、被検体を透過したＸ線の強度に基づいて、被検体についての情報を画像により提供するものであり、疾病の診断、治療や手術計画等を初めとする多くの医療行為において重要な役割を果たしている。近年では、被検体を螺旋状にスキャンして広範囲の投影データを得るヘリカルスキャン、スキャンと並行して実時間で画像再構成及び表示を実現するリアルタイムＣＴ、さらに造影剤の流入を監視して本スキャンの開始タイミングを最適化するリアルプレップ撮影技法等、様々に進化してきた。
【０００３】
最近のスキャンの高速化により、１回の造影剤注入に対して、胸部と下肢といった複数の部位でリアルプレップ撮影を繰り返すことが可能になってきている。また、造影剤濃度の監視方法についても、過去においては、１スライス内で１箇所の関心領域の造影剤濃度（ＣＴ値平均）を監視していたのに対して、最近では、複数箇所に関心領域を設定して、各関心領域の造影剤濃度（ＣＴ値平均）をそれぞれ固有のしきい値で監視することにより、本スキャンの開始タイミングをより最適化させることができるようになっている。
【０００４】
しかし、リアルプレップ撮影技法では、よりきめの細かい設定を可能にしてその信頼性を高めていくことと引き換えに、その設定項目の増加により、操作性の低下を生じさせ、操作者に負担を強いることになる。
【０００５】
【発明が解決しようとする課題】
本発明の目的は、リアルプレップ撮影対応のＸ線コンピュータ断層撮影装置において、リアルプレップ撮影条件の設定の操作性を向上することにある。
【０００６】
【課題を解決するための手段】
本発明の第１局面は、プレスキャンにより監視した造影剤濃度に基づいて本スキャンの開始タイミングを計るリアルプレップ撮影を造影剤注入後に同じ又は異なる部位に対して繰り返す機能を備えたＸ線コンピュータ断層撮影装置において、前記造影剤濃度を監視する関心領域の位置、前記関心領域が含まれるスライスの位置、前記造影剤濃度に対するしきい値の各設定項目を含むリアルプレップ撮影条件を前記リアルプレップ撮影それぞれに対して設定する作業を支援するために、前記リアルプレップ撮影のいずれかに対して設定されたリアルプレップ撮影条件の各項目の設定値を、他のリアルプレップ撮影に対するリアルプレップ撮影条件の設定画面上のそれぞれ対応する項目欄に複写する機能を有することを特徴とする。
本発明の第２局面は、ヘリカル又はコンベンショナルスキャンにより収集した投影データから、指定した心拍位相に対応する投影データを抽出し、抽出した投影データに基づいて画像データを再構成する機能を備えたＸ線コンピュータ断層撮影装置において、前記再構成のための画像スライス厚、スライス枚数の各設定項目を含む再構成条件を前記指定した複数の心拍位相それぞれに対して設定する作業を支援するために、前記複数の心拍位相のいずれかに対して設定された再構成条件の各項目の設定値を、他の心拍位相に対する再構成条件の設定画面上のそれぞれ対応する項目欄に複写する機能を有することを特徴とする。
【０００７】
【発明の実施の形態】
以下、図面を参照して本発明によるＸ線コンピュータ断層撮影装置（Ｘ線コンピュータ断層撮影装置）の実施形態を説明する。なお、Ｘ線コンピュータ断層撮影装置には、Ｘ線管と放射線検出器とが１体として被検体の周囲を回転する回転／回転（ＲＯＴＡＴＥ／ＲＯＴＡＴＥ）タイプと、リング状に多数の検出素子がアレイされ、Ｘ線管のみが被検体の周囲を回転する固定／回転（ＳＴＡＴＩＯＮＡＲＹ／ＲＯＴＡＴＥ）タイプ等様々なタイプがあり、いずれのタイプでも本発明を適用可能である。ここでは、現在、主流を占めている回転／回転タイプとして説明する。また、１スライスの断層像データを再構成するには、被検体の周囲１周、約３６０°分の投影データが、またハーフスキャン法でも１８０°＋ビュー角分の投影データが必要とされる。いずれの再構成方式にも本発明を適用可能である。ここでは、ハーフスキャン法を例に説明する。また、入射Ｘ線を電荷に変換するメカニズムは、シンチレータ等の蛍光体でＸ線を光に変換し更にその光をフォトダイオード等の光電変換素子で電荷に変換する間接変換形と、Ｘ線による半導体内の電子正孔対の生成及びその電極への移動すなわち光導電現象を利用した直接変換形とが主流である。Ｘ線検出素子としては、それらのいずれの方式を採用してもよいが、ここでは、前者の間接変換形として説明する。また、近年では、Ｘ線管とＸ線検出器との複数のペアを回転リングに搭載したいわゆる多管球型のＸ線コンピュータ断層撮影装置の製品化が進み、その周辺技術の開発が進んでいる。本発明では、従来からの一管球型のＸ線コンピュータ断層撮影装置であっても、多管球型のＸ線コンピュータ断層撮影装置であってもいずれにも適用可能である。ここでは、一管球型として説明する。
【０００８】
図１は本実施形態に係るＸ線コンピュータ断層撮影装置の構成を示している。このＸ線コンピュータ断層撮影装置は、被検体に関する投影データを収集するガントリ１を有する。ガントリ１には、ガントリインタフェース５を介して、計算機システム１７が接続される。計算機システム１７には、さらにインタフェース６，７，８を介して、寝台２、造影剤インジェクタ４、心電計（ＥＣＧ）３がそれぞれ接続される。
【０００９】
ガントリ１は、シングルスキャン、マルチスライススキャン、及び／又はヘリカルスキャン（らせん状スキャン）を実行するために必要且つ一般的な構成要素を備えている。また、ガントリ１は、Ｘ線管とＸ線検出器が１つずつ搭載された普及型であってもよいし、近年開発の進んでいるＸ線管とＸ線検出器との組を複数搭載したいわゆる多管球型であってもよい。ガントリ１として典型的なものはいわゆる第３世代と呼ばれるタイプであり、そのタイプであれば、Ｘ線管とＸ線検出器との組を１又は複数搭載した回転リングを有している。回転中に、Ｘ線管から連続的又は断続的にＸ線が曝射され、それに同期してＸ線検出器で蓄積電荷の読み出しが一定の周期で繰り返される。この動作により出力される信号を、一般的にＤＡＳ（ｄａｔａ  ａｃｑｕｉｓｉｔｉｏｎ  ｓｙｓｔｅｍ）  と呼ばれているデータ収集システムで電圧信号に変換し、増幅し、さらにディジタル信号に変換して、そしてそのディジタル信号を前処理部で感度補正等の補正処理を通すことにより、再構成処理の直前段階にあるいわゆる投影データが生成される。この投影データは計算機システム１７に送られ、データ記憶部１５に記憶される。このデータ記憶部１５には心電計３で測定した被検体の心電波形データが記憶される。
【００１０】
計算機システム１７は、システム制御部１２を中心とし、それにデータ／制御バス９を介してインタフェース５，６，７、入力デバイス１０、スキャンエキスパートシステム１１、再構成処理部１３、リアルプレップ処理部１４、データ記憶部１５、表示部１６が接続される。ガントリ１で収集された投影データは、データ記憶部１５に記憶されると共に、リアルタイムＣＴのために再構成処理部１３にも供給される。リアルタイムＣＴとは、スキャンオペレーションと並行して、断層像データの再構成を実行し、さらにその断層像を表示するというものであり、つまりＸ線テレビシステムのようにスキャンしながらほぼリアルタイムで断層像を観察することを実現する機能である。ここでは、当該リアルタイムＣＴは、専ら、造影剤の流入／流出の様子をモニタする、つまりリアルプレップ撮影に利用されており、従って画質等よりも、迅速性が要求される。そのためヘリカルスキャンでは、通常実施される投影データの距離補正を行わないで、１枚の断層像データの再構成に必要とされる１８０°＋ビュー角分の投影データが揃った時点で再構成を実施する。
【００１１】
スキャンエキスパートシステム１１の支援のもとで、操作者は、スキャンスケジュール、リアルプレップ撮影条件、再構成条件等の設定を迅速に勝つ簡易に行うことができる。
【００１２】
図２には、スキャンスケジュール設定画面の例を示している。スキャンスケジュール設定画面は、入力デバイス１０の操作画面上に表示されるが、画像表示用の表示部１６に表示されてもよい。スキャンスケジュール設定画面上で、予定する複数のスキャンオペレーションがその実行順序に従って画面上から下に向かって縦に配列される。この配列上でスキャンオペレーションを追加、削除、移動することによりスキャンスケジュールをプランする。図２では、３つのスキャンオペレーション、具体的には、最初に１つのコンベンショナルスキャンオペレーションが実行され、それに続いて２つのヘリカルスキャンオペレーションが順番に実行されることがプランされている。
【００１３】
当該エキスパートシステム１１では、各スキャンオペレーションには、複数、ここでは最大４種類の再構成条件を設定することができるようになっている。再構成条件には、再構成関数、フィルタの使用／不使用、画像スライス厚、表示ＦＯＶ（再構成領域）、再構成の中心位置等の各設定項目が含まれる。これら各設定項目の設定値は、データ記憶部１５に記憶される。スキャンオペレーションで収集した投影データに基づいて、そのスキャンオペレーションに対応して設定された再構成条件に従って断層像データが再構成される。そのスキャンオペレーションに対して複数の再構成条件が設定されているとき、それぞれの再構成条件に従って断層像データの再構成が繰り返される。
【００１４】
このスキャンスケジュール設定画面には、その左下の欄外に、「Ｃｏｐｙ  ｆｒｏｍ」と表記されたボタンが配置される。操作者が「Ｃｏｐｙ  ｆｒｏｍ」ボタンを入力デバイス１０のポインティングデバイスを操作してクリックしたとき、スキャンエキスパートシステム１１は複写機能を起動する。複写機能のもとでは、「Ｃｏｐｙ  ｆｒｏｍ」ボタンをクリックした直後に操作者により選択された他のスキャンオペレーション又は同じスキャンオペレーションに対して既設定の再構成条件の各設定項目の設定値が、データ記憶部１５から読み出されて、「Ｃｏｐｙ  ｆｒｏｍ」ボタンをクリックした時の画面内のそれぞれ対応する設定項目の入力欄に、候補値として自動的に入力される。操作者は、変更が必要とされる項目の値だけを入力デバイス１０を介して変更し、「Ｃｏｎｆｉｒｍ（確定）」ボタンをクリックすることにより、再構成条件を確定させることができる。この入力支援機能は、全ての項目を逐一入力するよりも、作業性の向上を実現する。
【００１５】
ここで、スキャンスケジュール表の中の各スキャンオペレーションの「開始」の欄の“Ｐ”は、リアルプレップで本スキャンの開始タイミングを自動化する設定であることを意味する表記である。この“Ｐ”の表記領域が入力デバイス１０のポインティングデバイスを介してクリックされたとき、スキャンエキスパートシステム１１は、リアルプレップ撮影条件の設定機能を起動し、それに対応した画面に表示を切り替える。図２では、３つのスキャンオペレーションが全て、リアルプレップ撮影が適用されていると仮定している。
【００１６】
図３には、リアルプレップ撮影条件の設定画面の例を示している。この画面では、スキャンスケジュールで設定されたリアルプレップを利用したスキャンオペレーションの数に応じてここでは３つのリアルプレップ撮影条件が設定される。これらのリアルプレップ撮影条件の画面切り替えは、「１ｓｔ  Ｐｏｓｉｔｉｏｎ」、「２ｎｄ  Ｐｏｓｉｔｉｏｎ」、「３ｒｄ  Ｐｏｓｉｔｉｏｎ」の３つのタブの選択的なクリックにより行われる。
【００１７】
このリアルプレップ撮影条件の設定画面で、「Ｒｅｆｅｒｅｎｃｅ  ｉｍａｇｅ  ｉｎｆｏｍａｔｉｏｎ」で表記した範囲には、造影剤濃度を監視するスライスの位置に関する情報が、ここでは画像のシリーズ番号（Ｓｅｒｉｅｓ  Ｎｏ．）、画像番号（Ｉｍａｇｅ  Ｎｏ．）、天板位置（Ｔａｂｌｅ  Ｐｏｓ．）として設定される。「Ｓｅｌｅｃｔ」ボタンがクリックされると、図４に示すように、既に撮影された当該被検体に関するスキャノグラムが表示される。このスキャノグラム上には、ヘリカルスキャン範囲（本スキャン範囲又は位置）を示すフレームとともにモニタスライスの位置を表すラインが表示され、ラインを例えばドラッグして任意に移動することができる。
【００１８】
この「Ｒｅｆｅｒｅｎｃｅ  ｉｍａｇｅ  ｉｎｆｏｍａｔｉｏｎ」の下には、「ＲＯＩ  ｉｎｆｏｍａｔｉｏｎ」と表記された範囲には、造影剤濃度の算出方法に関する情報が表示される。当該スキャンエキスパートシステム１１は、１スライス（１画像）内に最大３箇所までの関心領域の設定を許可する。３つの関心領域のうち、２つは、造影剤流入を監視するために動脈等の血管領域上に設定される開始ＲＯＩ１，ＲＯＩ２であり、残りの１つは、透過Ｘ線強度の安定又は急激な変動をモニタして必要に応じてＸ線曝射を緊急停止するための固定ＲＯＩである。固定ＲＯＩは造影剤が流入しない例えば骨領域上に設定される。
【００１９】
３つの関心領域（開始ＲＯＩ１、開始ＲＯＩ２、固定ＲＯＩ）に対して個々に計算方法を選択的に指定可能であり、その選択肢としては、関心領域内画素のＣＴ値の平均（Ｍｅａｎ）、関心領域内画素のＣＴ値の最大値、関心領域内画素のＣＴ値分布の上位数パーセントの平均等が用意されている。
【００２０】
３つの関心領域（開始ＲＯＩ１、開始ＲＯＩ２、固定ＲＯＩ）のいずれかの表記がクリックされると、「Ｒｅｆｅｒｅｎｃｅ  ｉｍａｇｅ  ｉｎｆｏｍａｔｉｏｎ」に対応するモニタスライス内の関心領域の位置の設定のための画面が表示される。図５に示すように、モニタスライスに対応する位置の断層像が表示される。この断層像上には、開始ＲＯＩ１、開始ＲＯＩ２、固定ＲＯＩそれぞれに対応するフレームが表示される。ポインティングデバイスによるドラッグにより各フレームを移動し、またポインティングデバイスの例えば右ボタン操作に応じてポップアップするサブメニューから円形、矩形、多角形、フリーハンド等の形状選択肢から所望形状を選択的に指定し、またサブメニューの拡大／縮小コマンドを使って任意のサイズに調整する。
【００２１】
「ＲＯＩ  ｉｎｆｏｍａｔｉｏｎ」の右下には、「Ｓｕｒｅ  ｓｔａｒｔ  ｃｏｎｄｉｔｉｏｎ」と表記された本スキャンの開始条件の設定範囲が表示される。本スキャンの開始は、マニュアル（手動）とオート（自動）とが選択的に用意されている。オートでは、開始ＲＯＩ１、開始ＲＯＩ２それぞれに対してしきい値が設定される。つまり、ここで指定したしきい値に、例えば開始ＲＯＩ１内画素の例えばＣＴ値の平均が達したときに、本スキャンが開始又は開始準備に移行する。このしきい値は、本スキャンの開始タイミングを決める最も重要なファクタの一つであり、モニタスライスの位置及びモニタスライス内の設定した関心領域の位置に対応した適値に設定する必要があり、注意を要する。開始ＲＯＩ１、開始ＲＯＩ２のしきい値入力欄の下には、これら開始ＲＯＩ１と開始ＲＯＩ２を使った複合条件の入力欄が用意されている。「ＲＯＩ１  ＯＲ  ＲＯＩ２」の表記は、開始ＲＯＩ１と開始ＲＯＩ２とのいずれか一方でもそのＣＴ値平均がしきい値に達したときに、本スキャンが開始又は開始準備に移行することを意味しており、また図示しないが、「ＲＯＩ１  ＡＮＤ  ＲＯＩ２」の表記は、開始ＲＯＩ１と開始ＲＯＩ２との両方共にそのＣＴ値平均がしきい値に達したときに、本スキャンが開始又は開始準備に移行することを意味している。さらにその下には、固定ＲＯＩに対するしきい値、つまり曝射停止条件の入力欄が表示され、Ｘ線条件（管電圧、管電流等）と被検体厚等に応じた好適な値に設定する必要がある。
【００２２】
「Ｓｕｒｅ  ｓｔａｒｔ  ｃｏｎｄｉｔｉｏｎ」の範囲の左側には、「Ｏｔｈｅｒ  ｃｏｎｄｉｔｉｏｎ」と表記された他の付加的な撮影条件の設定範囲が表示される。ここでは、造影剤濃度監視時のスキャン条件を設定するものであり、被曝量低減の為に、造影剤濃度監視時の間欠スキャンの適用の有無の選択と、その間欠スキャンの間隔、そして開始ＲＯＩ１のＣＴ値平均が本スキャン開始のためのしきい値に接近したときには、時間分解能を上げル必要があり、そのための間欠スキャンから連続スキャンへの移行条件が設定され得る。
【００２３】
以上のようにリアルプレップ撮影条件の設定項目は多岐にわたり、またその設定値の選定には高度の知識と慎重さを要求されることがあり、非常に手間を要する。この傾向は今後、さらに増大することが容易に予測できる。この手間を削減し、作業性を向上させるために、このリアルプレップ撮影条件設定画面にも、再構成条件設定と同様に、その画面左下の欄外に、「Ｃｏｐｙ  ｆｒｏｍ」と表記されたボタンが配置される。
【００２４】
操作者が「Ｃｏｐｙ  ｆｒｏｍ」ボタンを入力デバイス１０のポインティングデバイスを操作してクリックしたとき、スキャンエキスパートシステム１１はリアルプレップ撮影条件設定モード内での複写機能を起動する。複写機能のもとでは、「Ｃｏｐｙ  ｆｒｏｍ」ボタンをクリックした直後に操作者により選択された他の既設定のリアルプレップ撮影条件の各設定項目の設定値が、データ記憶部１５から読み出されて、「Ｃｏｐｙ  ｆｒｏｍ」ボタンをクリックした時の画面内のそれぞれ対応する設定項目の入力欄に、候補値として自動的に入力される。操作者は、変更が必要とされる項目の値だけを入力デバイス１０を介して変更し、「Ｃｏｎｆｉｒｍ（確定）」ボタンをクリックすることにより、再構成条件を確定させることができる。この入力支援機能は、全ての項目を逐一入力するよりも、作業性の向上を実現する。
【００２５】
この「Ｃｏｐｙ  ｆｒｏｍ」ボタンによる本実施形態の条件複写機能は、単なるコピー機能や、いわゆるオートコンプリート機能とは明らかに相違する機能である。コピー機能は複写元を選択してクリップボードに複写し、それを指定した複写先に貼り付けるという単純な機能であり、またオートコンプリート機能は、既に入力したことがある文字列の先頭文字を入力すると、それに一致する文字列の候補を表示し、エンタ−キーを押すだけで、残りを自動的に入力できる機能である。これらコピー機能やオートコンプリート機能に対して、本実施形態の条件複写機能は、個々にではなく、多くの設定項目を含む再構成条件やリアルプレップ撮影条件の全体項目を対象として一括して複写元及び複写先を選択することができ、複写元のそれぞれの設定項目の設定値を、複写先のそれぞれ対応する設定項目の入力欄に候補として入力する機能である。
【００２６】
この「Ｃｏｐｙ  ｆｒｏｍ」ボタンによる本実施形態の条件複写機能は、多くの設定項目を含む条件設定作業に適用することで効果的に作用する。これには、上述した再構成条件やリアルプレップ撮影条件が好適といえるが、それに限定されることはない。
【００２７】
例えば、図６に示すように、心電同期再構成の条件設定に適用してもその効果は大いに期待できる。この心電同期再構成は、スキャンと並行して再構成処理を行うリアルタイム再構成処理ではなく、スキャンが終了した後に行われる。再構成処理の実行を指示すると、エキスパートシステム１１の支援のもとで、ファイル選択ウインドウが表示される。ファイル選択ウインドウには、データ記憶部１５に保存されている処理可能な投影データファイルの一覧が表示され、その中からいずれかのファイルを選択すると、図６に示すデータ処理条件設定画面が表示される。
【００２８】
「心電同期」のチェックボックスにチェックが入れられると、心電同期再構成機能が起動し、選択された投影データファイルに関連付けられている心電波形データがデータ記憶部１５から読み出され、その心電波形がウインドウで表示される。
【００２９】
「心拍位相」の入力欄に所望とする心拍位相の位置（再構成中心位置）が、Ｒ波からＲ波までの時間間隔に対するＲ波から当該位置までの時間幅の割合を表すパーセントとして数値で入力され、又は心電波形上でポインティングデバイスを介して位置指定することにより設定される。それとともに、心電同期再構成の対象期間が、その期間の「開始」の時間位置、「終了」の時間位置として数値入力され、又は心電波形上でポインティングデバイスを介して位置指定することにより設定され、また画像スライスの厚さ、再構成する画像の枚数が入力される。
【００３０】
また、「Ｒ−Ｒ許容範囲」の条件が０．０秒ないし１０．０秒の範囲で任意に設定される。上記パーセントによりＲ波からＲ波までの間隔（Ｒ−Ｒ間隔）それぞれに対して再構成位置が自動設定されるが、不整脈等の原因でＲ−Ｒ間隔が過度に変動することがある。この場合、自動設定位置が、意図した心拍位相に対して大きくずれてしまうことがあり、そのまま再構成画像を診断に用いると、診断を誤る可能性が危惧される。そのため、Ｒ−Ｒ間隔に対して許容範囲を設定し、その範囲を外れた心拍期間に対しては画像再構成を禁止するものである。その他、共通パラメータとして、再構成関数の選択、再構成手法（ハーフ再構成の適用／不適用）の選択、フィルタの種類選択等、設定項目は多岐にわたる。
【００３１】
この手間を削減し、作業性を向上させるために、この心電同期再構成条件設定画面にも、再構成条件設定やリアルプレップ撮影条件と同様に、その画面右下の欄外に、「Ｃｏｐｙ  ｆｒｏｍ」と表記されたボタンが配置される。操作者が「Ｃｏｐｙ  ｆｒｏｍ」ボタンを入力デバイス１０のポインティングデバイスを操作してクリックしたとき、スキャンエキスパートシステム１１の複写機能のもとで、「Ｃｏｐｙ  ｆｒｏｍ」ボタンをクリックした直後に操作者により選択された他の既設定の心電同期再構成条件の各設定項目の設定値が、データ記憶部１５から読み出されて、「Ｃｏｐｙ  ｆｒｏｍ」ボタンをクリックした時の画面内のそれぞれ対応する設定項目の入力欄に、候補値として自動的に入力される。操作者は、変更が必要とされる項目の値だけを入力デバイス１０を介して変更する。この入力支援機能は、全ての項目を逐一入力するよりも、作業性の向上を実現する。
【００３２】
このように本実施形態によれば、リアルプレップ撮影対応のＸ線コンピュータ断層撮影装置において、リアルプレップ撮影条件の設定の操作性を向上することができ、また同様に、再構成条件設定や心電同期再構成条件の設定にも適用してその操作性を向上することができる。
【００３３】
（変形例）
本発明は、上述した実施形態に限定されるものではなく、実施段階ではその要旨を逸脱しない範囲で種々変形して実施することが可能である。さらに、上記実施形態には種々の段階が含まれており、開示される複数の構成要件における適宜な組み合わせにより種々の発明が抽出され得る。例えば、実施形態に示される全構成要件から幾つかの構成要件が削除されてもよい。
【００３４】
【発明の効果】
本発明によれば、リアルプレップ撮影対応のＸ線コンピュータ断層撮影装置において、リアルプレップ撮影条件の設定の操作性を向上することができる。
【図面の簡単な説明】
【図１】本発明の実施形態によるＸ線コンピュータ断層撮影装置の構成を示すブロック図。
【図２】図１のスキャンエキスパートシステムによるスキャンスケジュールの設定画面例を示す図。
【図３】図１のスキャンエキスパートシステムによるリアルプレップ撮影条件の設定画面例を示す図。
【図４】図２のスキャンスケジュールの補足図。
【図５】図３のリアルプレップ撮影条件の補足図。
【図６】図１のスキャンエキスパートシステムによる心電同期再構成条件の設定画面例を示す図。
【符号の説明】
１…ガントリ、
２…寝台、
３…心電計（ＥＣＧ）、
４…造影剤インジェクタ、
５…ガントリインタフェース、
６…寝台インタフェース、
７…インジェクタインタフェース、
８…心電計インタフェース、
９…データ／制御バス、
１０…入力デバイス、
１１…スキャンエキスパートシステム、
１２…システム制御部、
１３…再構成処理部、
１４…リアルプレップ処理部、
１５…データ記憶部、
１６…表示部、
１７…計算機システム。
【図１】
2004174088.tif 000003
【図２】
2004174088.tif 000004
【図３】
2004174088.tif 000005
【図４】
2004174088.tif 000006
【図５】
2004174088.tif 000007
【図６】
2004174088.tif 000008